(57)【要約】  【課題】  内部の収納空間を仕切る仕切り板を具え、かつ仕切り板を取り出すことなく、収納ケースを折り畳むことのできる折り畳み式収納ケースを提供する  【解決手段】  硬質の材質によってなる４面の側壁で矩形を形成し、可撓性を有する材質で底面を形成し、該４面の側壁で形成される矩形の四隅と対向する両側壁の中間の位置に折線を形成するとともに、該側壁の内の一面の下端に挿入溝を形成して構成する箱体と、該挿入溝から該箱体内に挿入して該箱体の底面上に設置する底板と、硬質の材質によってなり、該箱体内に設置する仕切り板と、可撓性を具える材質によってなり、両端縁部をそれぞれ該箱体の側壁と該仕切り板とにそれぞれ接続する複数の仕切り体とによって構成する。【選択図】  図１
0003113823.tif 000002
【実用新案登録請求の範囲】
【請求項１】
硬質の材質によってなる４面の側壁で矩形を形成し、可撓性を有する材質で底面を形成し、該４面の側壁で形成される矩形の四隅と対向する両側壁の中間の位置に折線を形成するとともに、該側壁の内の一面の下端に挿入溝を形成して構成する箱体と、
該挿入溝から該箱体内に挿入して該箱体の底面上に設置する底板と、
硬質の材質によってなり、該箱体内に設置する仕切り板と、
可撓性を具える材質によってなり、両端縁部をそれぞれ該箱体の側壁と該仕切り板とにそれぞれ接続する複数の仕切り体と、によって構成することを特徴とする折り畳み式収納ケース。
【請求項２】
硬質の材質によってなる４面の側壁で矩形を形成し、可撓性を有する材質で底面を形成し、該４面の側壁で形成される矩形の四隅と対向する両側壁の中間の位置に折線を形成するとともに、該側壁の内の一面の下端に挿入溝を形成して構成する箱体と、  
該挿入溝から該箱体内に挿入して該箱体の底面上に設置する底板と、
硬質の材質によってなり、該箱体内に設置する複数の仕切り板と、
可撓性を具える材質によってなり、両端縁部をそれぞれ該箱体の側壁と該仕切り板とにそれぞれ接続する複数の仕切り体と、によって構成され、
該複数の仕切り体の内、該箱体の対角に近接するそれぞれの仕切り体の一端と、該仕切り板の該仕切り体の一端に対応する位置とに、着脱自在に連結する構造を設けることを特徴とする折り畳み式収納ケース。
【請求項３】
前記仕切り体と仕切り板とを着脱自在に連結する構造が、該仕切り体の一端と、該仕切り板の該仕切り体の一端に対応する位置とに面ファスナーを設けてなることを特徴とする請求項２に記載の折り畳み式収納ケース。
【考案の詳細な説明】
【技術分野】
【０００１】
この考案は物品の収納ケースに関し、特にケース本体を折り畳んで収納できる折り畳み式収納ケースに関する。
【背景技術】
【０００２】
物品を収納する収納ケースであって、特に体積を縮小させることができ、収納に便利な折り畳み式収納ケースは、広く普及していて、その種類も多い。例えば、軟質の布で矩形の箱体を形成したものがある。これは箱体上端の四隅に上水平桿を設け、箱体下端の該上水平桿に対応する位置に下水平桿を設け、かつ箱体の四隅の垂直の辺に沿って縦桿を設けるとともに、隣り合う該上水平桿の端縁部の間、隣り合う該下水平桿の端縁部の間、縦桿と上下水平桿の端縁部の間に、それぞれ適宜な間隔を置くように構成する。また、箱体の垂直面には対角に交差する折線を形成する。かかる収納ケースは、縦桿、上水平桿、下水平桿の支持によって物品を収納する収納ケースの形状を呈し、これらをねじるように折り畳むことによって、平坦な形状にすることができる。
【０００３】
但し、上述する従来の収納ケースは、内部に仕切りを具えない。収納ケースの内部空間が仕切られていれば、例えば靴下、下着、ハンカチ、タオルなどの生活用品や小物を分類して収納することができる。しかしながら、仕切りを内部に形成すれば、収納ケースを折り畳むことができなくなる。よって、仕切りを独立して形成し、収納ケースに対して着脱自在にしなければならない。係る仕切り板は、収納ケース自体を折り畳んで収納する場合、収納ケースから取り出して別途保管、収納しなければならず、このため面倒である。
【考案の開示】
【考案が解決しようとする課題】
【０００４】
上述するように、従来の折り畳み式収納ケースは、内部の収納空間に仕切り板を形成して折り畳むことができなくなるため、独立した着脱自在の仕切り板を別途形成しなければならないという欠点を有する。
【０００５】
そこで、この考案は、内部の収納空間を仕切る仕切り板を具え、かつ仕切り板を取り出すことなく、収納ケースを折り畳むことのできる折り畳み式収納ケースを提供することを課題とする。
【課題を解決するための手段】
【０００６】
そこで、本考案者は従来の技術に見られる欠点に鑑み鋭意研究を重ねた結果、硬質の材質によってなる４面の側壁で矩形を形成し、可撓性を有する材質で底面を形成し、該４面の側壁で形成される矩形の四隅と対向する両側壁の中間の位置に折線を形成するとともに、該側壁の内の一面の下端に挿入溝を形成して構成する箱体と、該挿入溝から該箱体内に挿入して該箱体の底面上に設置する底板と、硬質の材質によってなり、該箱体内に設置する仕切り板と、可撓性を具える材質によってなり、両端縁部をそれぞれ該箱体の側壁と該仕切り板とにそれぞれ接続する複数の仕切り体と、によってなる折り畳み式収納ケースの構造によって課題を解決できる点に着眼し、かかる知見に基づいて本考案を完成させた。
【０００７】
以下、この考案について具体的に説明する。
請求項１に記載する折り畳み式収納ケースは、硬質の材質によってなる４面の側壁で矩形を形成し、可撓性を有する材質で底面を形成し、該４面の側壁で形成される矩形の四隅と対向する両側壁の中間の位置に折線を形成するとともに、該側壁の内の一面の下端に挿入溝を形成して構成する箱体と、
該挿入溝から該箱体内に挿入して該箱体の底面上に設置する底板と、
硬質の材質によってなり、該箱体内に設置する仕切り板と、
可撓性を具える材質によってなり、両端縁部をそれぞれ該箱体の側壁と該仕切り板とにそれぞれ接続する複数の仕切り体と、によって構成する。
【０００８】
請求項２に記載する折り畳み式収納ケースは、硬質の材質によってなる４面の側壁で矩形を形成し、可撓性を有する材質で底面を形成し、該４面の側壁で形成される矩形の四隅と対向する両側壁の中間の位置に折線を形成するとともに、該側壁の内の一面の下端に挿入溝を形成して構成する箱体と、  
該挿入溝から該箱体内に挿入して該箱体の底面上に設置する底板と、
硬質の材質によってなり、該箱体内に設置する複数の仕切り板と、
可撓性を具える材質によってなり、両端縁部をそれぞれ該箱体の側壁と該仕切り板とにそれぞれ接続する複数の仕切り体と、によって構成され、
該複数の仕切り体の内、該箱体の対角に近接するそれぞれの仕切り体の一端と、該仕切り板の該仕切り体の一端に対応する位置とに、着脱自在に連結する構造を設ける。
【０００９】
請求項３に記載する折り畳み式収納ケースは、請求項２における仕切り体と仕切り板とを着脱自在に連結する構造が、該仕切り体の一端と、該仕切り板の該仕切り体の一端に対応する位置とに面ファスナーを設けてなる。
【考案の効果】
【００１０】
この考案による折り畳み式収納ケースは、仕切り板を有し、収納する物品を分類して収納できることができるとともに、収納ケース自体を折り畳んで収納する場合、該仕切り板を取り出す必要がなく、収納ケースと仕切り板を一体に折り畳んで収納、保管することができるため、収納に便利で実用的である。
【考案を実施するための最良の形態】
【００１１】
この考案は、折り畳み式の収納ケースを提供するものであって、硬質の材質によってなる４面の側壁で矩形を形成し、可撓性を有する材質で底面を形成し、該４面の側壁で形成される矩形の四隅と対向する両側壁の中間の位置に折線を形成するとともに、該側壁の内の一面の下端に挿入溝を形成して構成する箱体と、該挿入溝から該箱体内に挿入して該箱体の底面上に設置する底板と、硬質の材質によってなり、該箱体内に設置する仕切り板と、可撓性を具える材質によってなり、両端縁部をそれぞれ該箱体の側壁と該仕切り板とにそれぞれ接続する複数の仕切り体と、によって折り畳み式収納ケースを構成することによって、内部の収納空間を仕切る仕切り板を具え、かつ仕切り板を取り出すことなく、収納ケースを折り畳むことのできる折り畳み式収納ケースを提供するという目的を達成した。
係る構成の折り畳み式収納ケースについて、その構造と特徴を詳述するために具体的な実施例を挙げ、以下に説明する。
【実施例１】
【００１２】
図１に、この考案の第１の実施例による折り畳み式収納ケースを開示する。図面によれば、第１の実施例による折り畳み式収納ケースは矩形の箱体１と、硬質の仕切り板１１と、複数の可撓性を具える仕切り体１２と、及び底板２を含んでなる。
【００１３】
箱体１は、好ましくは柔軟性と強度を具える材質で被覆した硬質の板体で側壁を形成する。また、箱体１の四隅と、対向する両側壁の中間の位置には、いずれも折線１５を形成する。箱体１の底面は可撓性を有する材質で形成する。さらに、箱体１の両側に取っ手１４を設けてもよい。
【００１４】
硬質の仕切り板１１は箱体１とは独立した部材であって、かつ仕切り板１１は長さを箱体１の折線１５を形成した両側壁の間の距離と略同等にする。
【００１５】
可撓性を具える仕切り体１２は布材であってもよい。この場合、仕切り体１２の両端を仕切り板１１と箱体１の側壁に縫合する。
【００１６】
また、箱体１の両側壁の内の対向面の下端に、底板２を挿入する挿入溝１３を形成する。
【００１７】
上述する構造の折り畳み式収納ケースは、展開する場合、仕切り板１１の両端を箱地１の折線１５が形成された側壁に当接させ、かつ図１に開示するように箱体１に形成した挿入溝１３から底板２を挿入して箱体１を支持して形状を固定させる。この場合、図１、２に開示するように仕切り板１１とそれぞれの仕切り体１２とによって箱体１の内部が複数の収納空間が仕切られる。
【００１８】
折り畳み式収納ケースを折り畳んで収納する場合、底板２を箱体１から抜き出し、仕切り板１１を適宜な角度回転させると（好ましくは仕切り板１１の両端を箱体１の対対角に対応させる）、図３に開示するように折線１５に沿って箱体を折り畳んで平坦な状態にすることができる。
【実施例２】
【００１９】
図４に、この考案の第２の実施例による折り畳み式収納ケースを開示する。図面によれば、第２の実施例による折り畳み式収納ケースは矩形の箱体１と、複数の硬質の仕切り板１１と、複数の可撓性を具える仕切り体１２と、及び底板２を含んでなる。
【００２０】
箱体１は、構造が第１の実施例と略同様であって、同じく四隅と対向する両側壁の中間の位置に折線１５を形成する。箱体１底部は可撓性を具えるパネル材をもって底面とする。
【００２１】
硬質の仕切り板１１は箱体１とは独立した部材であって、かつ仕切り板１１は長さを箱体１の折線１５を形成した両側壁の間の距離と略同等にする。
【００２２】
可撓性を具える仕切り体１２は、両端を仕切り板１１と箱体１の側壁、及び隣り合う仕切り板１１に縫合する。
【００２３】
また、本体１の側壁の一面の下端に、挿入溝１３を形成し、底板１２該挿入溝１３から挿入して本体１の底面上に設置する。
【００２４】
上述する構造の折り畳み式収納ケースは、箱体１内に複数の仕切り板１１を設けるため、仕切り板１１を回転させる角度が制限を受け小さくなる。よって、第２の実施例においては、箱体１の対角に近接したそれぞれの仕切り体１２Ａの一端を箱体１の側壁に対して着脱自在に連結する構造を設ける。好ましくは仕切り体１２Ａと箱体１の側壁に、それぞれ面ファスナー１２１、１０を設ける。
【００２５】
第２の実施例による折り畳み式収納ケースは、箱体１を展開して形状を固定し、さらに面ファスナー１２１と１０とを連結して仕切り体１２Ａによって空間を仕切ると、図５に開示する状態になる。逆に折り畳んで収納する場合は、図６に開示するように面ファスナー１２１と１０とを分離させると、外側の仕切り板１１が仕切り体１２Ａの制限から開放されて、比較的大きな角度で回転できるようになり、収納ケースを折り畳む動作を順調に行うことができる。
【００２６】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００２７】
【図１】この考案による折り畳み式収納ケースの外観を示した斜視図である。（実施例１）
【図２】図１に開示する折り畳み式収納ケースの平面図である。
【図３】図１に開示する折り畳み式収納ケースを折り畳む状態を示した平面図である。
【図４】この考案による折り畳み式収納ケースの外観を示した斜視図である。（実施例２）
【図５】図４に開示する折り畳み式収納ケースの平面図である。
【図６】図４に開示する折り畳み式収納ケースを折り畳む状態を示した平面図である。
【符号の説明】
【００２８】
１            箱体
１０          面ファスナー
１１          仕切り板
１２          仕切り体
１２Ａ        仕切り体
１２１        面ファスナー
１３          挿入溝
１４          取っ手
１５          折線
２            底板
【図１】
0003113823.tif 000003
【図２】
0003113823.tif 000004
【図３】
0003113823.tif 000005
【図４】
0003113823.tif 000006
【図５】
0003113823.tif 000007
【図６】
0003113823.tif 000008